(57)【特許請求の範囲】
【請求項１】
内容物（Ｎ）を収納した容器体（１５）の口筒部（１７）に組付けられる櫛付きキャップ（１）であって、前記容器体（１５）への組み付き部分を形成するキャップ本体（２）と、該キャップ本体（２）の上端部に設けられ、複数の櫛歯片（１０）を並列に列設した櫛歯体（９）とから構成され、該櫛歯体（９）は、隣り合った櫛歯片（１０）間に吐出された内容物（Ｎ）を、梳き動作により頭髪（Ｋ）に塗布する機能を有し、隣り合った前記櫛歯片（１０）同士の対向面を、多数の小突起（１２）が位置する祖面化処理面（１１）としたことを特徴とする櫛付きキャップ。
【請求項２】
粗面化処理面（１１）を、シボ加工を使用して成形した請求項１に記載の櫛付きキャップ。
【請求項３】
粗面化処理面（１１）の各小突起（１２）の突出端部を、角取りして円滑な曲面とした請求項１または２に記載の櫛付きキャップ。
【請求項４】
粗面化処理面（１１）の各小突起（１２）を、弾頭状に形成した請求項１または２に記載の櫛付きキャップ。
【発明の詳細な説明】
【技術分野】
【０００１】
本発明は、容器体に収納された白髪染めやヘアマニキュア等の内容物を、容器体から頭髪に直接塗布すべく構成した櫛付きキャップに関するものである。
【背景技術】
【０００２】
容器体にキャップとして組み付けられ、容器体の白髪染めやヘアマニキュア等の内容物を直接頭髪に塗布することができるようにした、櫛付きキャップを有する技術を示すものとして、特開２００７−００７００９号公報に開示された技術が知られている。
【０００３】
この従来技術は、櫛を構成する各櫛歯片による内容物の保持能力を高めるとともに、頭髪の毛先にも満遍なく塗布できるようにしたもので、櫛歯片の側面に、吐出口から櫛歯片の根本部にかけて凹凸面を設けたから、吐出された内容物が凹凸面によって保持され、凹凸面の突条の高さを、１．０〜２．０ｍｍ前後、溝幅を０．５〜１．０ｍｍ前後としたので、必要な保持力を得ることができ、また凹凸面により、余分な内容物を取り除くことができ、頭髪の根本から先端まで、満遍なく塗布することができる。特に、染毛剤の塗布に使用する場合には、染めむらがなく、染毛効果をあげることができる、と云うきわめて優れた作用効果を発揮するものとなっている。
【先行技術文献】
【特許文献】
【０００４】
【特許文献１】特開２００７−００７００９号公報
【発明の開示】
【発明が解決しようとする課題】
【０００５】
しかしながら、上記した従来技術にあっては、各櫛歯片の横方向に延びる突条と溝とからなる凹凸面が発揮する、頭髪に対する保持作用が、梳き動作時における頭髪と櫛歯片の間の抵抗感を高めるように働き、この抵抗感により、櫛の通り等の良好な使用感が得難くなっているとか、擦れにより頭髪表面を傷付ける恐れがあるのではないか、と云う疑いを感じることがある。このため、この種の櫛付きキャップにおける抵抗感を低減する、と云う要望が出ている。
【０００６】
そこで、本発明は、上記した従来技術における要望を満たすべく創案されたもので、内容物の頭髪に対する塗布動作時に、頭髪と櫛歯片の間に発生する抵抗を低減することを技術的課題とし、もってきわめて良好な使用感と頭髪に対する安全性を得ることを目的とするものである。
【課題を解決するための手段】
【０００７】
上記技術的課題を解決する本発明の主たる構成は、
内容物を収納した容器体の口筒部に組み付けられる櫛付きキャップであること、
容器体への組み付き部分を形成するキャップ本体と、このキャップ本体の上端部に設けられ、複数の櫛歯片を並列に列設した櫛歯体とから構成されること、
櫛歯体は、隣り合った櫛歯片間に吐出された内容物を、梳き動作により頭髪に塗布する機能を有していること、
隣り合った櫛歯片同士の対向面を、多数の小突起が位置する祖面化処理面としたこと、
にある。
【０００８】
櫛歯片間に吐出された内容物は、各櫛歯片の粗面化処理面に接触する。この粗面化処理面は、多数配置された小突起により形成されているので、きわめて大きな表面積を有しており、これにより内容物は粗面化処理面に対して強く付着する。このため、櫛歯片間に吐出された内容物は液垂れすることなく、櫛歯片間に安定して位置することになる。
【０００９】
この状態から頭髪を梳くと、内容物が頭髪に塗布されるが、内容物の櫛歯片に対する付着力により、頭髪側に付着する内容物の量は制限された状態となり、これにより一度に多量の内容物が頭髪に塗布されて、塗布斑が生じる恐れがない。櫛歯片側に残存状態で付着している内容物は、引き続き行われる梳き動作により頭髪に塗布されるので、吐出された内容物は毛先まで満遍なく塗布されることになる。
【００１０】
祖面化処理面は、多数の小突起を位置させて構成されているので、梳き動作時における各櫛歯片と頭髪の接触状態は、小突起の突出端部に対して頭髪が接触する状態、すなわち点接触状態となる。このため、各櫛歯片と頭髪の間の接触面積はきわめて小さくなり、これにより発生する頭髪に対する各櫛歯片の摩擦抵抗は十分に小さいものとなる。
【００１１】
本発明の別の構成は、上記した主たる構成に、粗面化処理面を、シボ加工を使用して成形した、ことを加えたものである。
【００１２】
粗面化処理面を、シボ加工を使用して成形したものにあっては、多数の小突起により形成される粗面化処理面の成形が簡単に達成できる。このシボ加工の実施は、櫛歯片の成形金型に対する実施でも、成形された櫛歯片の表面に対する実施でもよい。
【００１３】
また、本発明の別の構成は、上記した主たる構成に、粗面化処理面の各小突起の突出端部を、角取りして円滑な曲面とした、ことを加えたものである。
【００１４】
粗面化処理面の各小突起の突出端部を、角取りして円滑な曲面としたものにあっては、小突起の形状に関わりなく、頭髪と小突起の接触抵抗を小さくすることができる。
【００１５】
また、本発明の別の構成は、上記した主たる構成に、粗面化処理面の各小突起を、弾頭状に形成した、ことを加えたものである。
【００１６】
粗面化処理面の各小突起を、弾頭状に形成したものにあっては、小突起の形状を統一することができるので、各小突起と頭髪の接触抵抗が略等しくなり、これにより頭髪と粗面化処理面の間に発生する接触抵抗を正確に予知することができると共に、その接触抵抗を粗面化処理面全域で等しくすることができる。なお、各小突起は弾頭状であるので、その突出端部は円滑な曲面となっており、このため頭髪と小突起の接触抵抗は小さい。
【発明の効果】
【００１７】
本発明は、上記した構成となっているので、以下に示す効果を奏する。
本発明の主たる構成にあっては、各櫛歯片間に吐出された内容物が、一度に多量の内容物が頭髪に塗布されて、塗布斑が生じる恐れがなく、櫛歯片側に残存状態で付着している内容物は、引き続き行われる梳き動作により頭髪に塗布されるので、吐出された内容物は毛先まで満遍なく塗布されることになり、頭髪全体に対する内容物の均等な塗布を安定的に得ることができる。
【００１８】
また、祖面化処理面は、多数の小突起を位置させて構成されているので、頭髪に対する各櫛歯片の摩擦抵抗、すなわち頭髪と各櫛歯片の間の摩擦抵抗は十分に小さいものとなり、これにより「櫛通り」の良い円滑で好ましい梳き動作を得ることができると共に、梳き動作により頭髪を傷付けることがほとんどない。
【００１９】
粗面化処理面を、シボ加工を使用して成形したものにあっては、粗面化処理面の成形が簡単に達成できると共に、このシボ加工の実施のタイミングを自由に設定できるので、極めて容易な実施を得ることができる。
【００２０】
粗面化処理面の各小突起の突出端部を、角取りして円滑な曲面としたものにあっては、小突起の形状に関わりなく、頭髪と小突起の接触抵抗を小さくすることができるので、より円滑な梳き動作を得ることができると共に、頭髪をより安全に梳くことができる。
【００２１】
粗面化処理面の各小突起を、弾頭状に形成したものにあっては、小突起の形状を統一することができるので、頭髪と粗面化処理面の間に発生する接触抵抗を正確に予知することができると共に、その接触抵抗を粗面化処理面全域で等しくすることができるので、頭髪と祖面化処理面の間の要求される摩擦抵抗程度を、要求通りに実現することが比較的簡単となる。
【図面の簡単な説明】
【００２２】
【図１】本発明の一実施形態例を示す、全体外観斜視図である。
【図２】図１の一実施形態例の内容物を吐出した状態時の、縦断面図である。
【図３】内容物と祖面化処理面の付着状態を示す、拡大断面図である。
【図４】梳き動作時の粗面化処理面に対する頭髪を示す、拡大説明図である。
【発明を実施するための最良の形態】
【００２３】
以下、本発明の実施形態例を、図１〜図４を参照しながら説明する。
本発明による櫛付きキャップ１（以下、図１および図２参照）は、スクイズ性を有する胴部１６の上端に口筒部１７を立設して構成した容器体１５に組み付けられるもので、容器体１５の口筒部１７に密に組み付くキャップ本体２と、このキャップ本体２の上端に起立姿勢で組み付けられる櫛歯体９とから構成されている。
【００２４】
キャップ本体２は、容器体１５の口筒部１７に密に組み付く組み付き筒３の上端に、内鍔状の頂壁４を介して、上端に近づくに従って前後に扁平となる起立筒７を連設し、この起立筒７の上端を塞ぐ頂板８に櫛歯体９を設けており、頂壁４の下面には、口筒部１７に密嵌入する短円筒状のシール筒片５と、口筒部１７の上端面に密に弾接するシール条６とを設けることによって、キャップ本体２の口筒部１７に対する組付きを密に達成する。
【００２５】
櫛歯体９は、頂板８の上面に、複数の櫛歯片１０を左右に並列に起立設し、両端を除く各櫛歯片１０内に、櫛歯片１０の上部から頂板８の下面にかけて、櫛歯片１０の上部左右側面に吐出口１４を開口した吐出路１３を形成して構成されている。この櫛歯体９は、ベース板９ａ上に複数の櫛歯片１０を左右に並列に起立設して、キャップ本体２とは別体に成形され、キャップ本体２の頂板８上面にベース板９ａを載置させた構成で、キャップ本体２に組み付けられている。
【００２６】
隣り合った各櫛歯片１０の対向した側面は、多数の小突起１２（図３および図４参照）を位置させた粗面化処理面１１（図１参照）に成形されている。それゆえ、吐出口１４から吐出された内容物Ｎは、吐出されるとすぐに粗面化処理面１１に接触する（図２参照）ことになるが、この内容物Ｎは粗面化処理面１１と大きな接触面積で接触することになるので、粗面化処理面１１に対して強く付着することになり、これにより自重による垂れ落ちすることなく、安定して櫛歯片１０間に位置する。
【００２７】
このように、櫛歯片１０間に吐出させた内容物Ｎを付着させた状態で頭髪Ｋを梳くと、櫛歯片１０間から頭髪Ｋに内容物Ｎが付着移動するが、櫛歯片１０に対する内容物Ｎの付着力により比較的多量の内容物Ｎが櫛歯片１０側に残るので、頭髪Ｋの梳き動作を繰り返すことにより、頭髪Ｋに付着した内容物Ｎの、頭髪Ｋに対する引き伸ばし塗布作用と、櫛歯片１０側に残存付着している内容物Ｎに頭髪Ｋへの塗布作用とを同時に行い、内容物Ｎを頭髪Ｋ全体に対して満遍なく塗布することができる。
【００２８】
祖面化処理面１１は、櫛歯片１０を成形する射出成形金型の成形型面、もしくは成形された櫛歯片１０の側面に、ブラスト加工、コロナ放電加工さらにはエッジング加工等のシボ加工を施すことにより成形する。
【００２９】
この粗面化処理面１１を構成する多数の小突起１２は、少なくとも突出端部が角取りされて円滑な曲面となっており、これにより頭髪Ｋの梳き動作時に、各小突起１２に押し付けられる頭髪Ｋが、この小突起１２に引っ掛かり気味となることがないようにしている。特に、各小突起１２を、弾頭状に成形した場合には、小突起１２の外表面全体が円滑な曲面となるので、小突起１２に対して頭髪Ｋが引っ掛かり気味となることは、略完全に発生しないものとすることができる。また、各小突起１２を、弾頭状に成形した場合は、各小突起１２の形状および大きさを統一することが容易であるので、多数の小突起１２の単位面積当たりの分布を一定化し、これによって粗面化処理面１１の単位面積あたりの頭髪Ｋに対する摩擦抵抗の定量化が容易となり、これにより梳き動作時における抵抗感を自由に設定することが可能となる。
【００３０】
また、頭髪Ｋの太さは、大体５０μｍ〜１５０μｍの範囲であるので、粗面化処理面１１における各小突起１２の高さは５０μｍ以下とするのが、小突起１２に対する頭髪Ｋの引っ掛かりの発生を確実に生じさせない点では望ましい。しかしながら、梳き動作時における頭髪Ｋは、ある程度引っ張られた状態（図４参照）となっているので、小突起１２に対して引っ掛かり難い状態となっており、小突起１２の高さを１５０μｍ程度にしても、引っ掛かりを生じることはほとんどなく、特に内容物Ｎが付着している状態では、この内容物Ｎが潤滑作用を発揮するので、小突起１２に対する頭髪Ｋの引っ掛かりが発生する恐れはない。
【００３１】
さらに、上記したように、梳き動作時の頭髪Ｋの引っ掛かりを考慮すると、小突起１２の高さは５０μｍ以下とするのが望ましいのであるが、あまり小さくすると、内容物Ｎの粘度によっては、内容物Ｎの粗面化処理面１１への接触付着（図３参照）が、粗面化処理面１１と内容物Ｎとの間に気泡が形成されて、必ずしも十分には得られない場合を生じることが考えられるので、この各小突起１２の高さの設定は、内容物Ｎの粘度を考慮して設定するようにする。
【００３２】
頭髪Ｋに対する内容物Ｎの塗布は、まず容器体１５を倒立姿勢に保持して胴部１６をスクイズ変形させて、内容物Ｎを櫛歯片１０間に吐出させ、吐出させた内容物Ｎを粗面化処理面１１に付着させる。次いで、胴部１６を「柄」として持って、櫛歯体９により頭髪Ｋに対して梳き動作を行う。この梳き動作は、同じ頭髪Ｋ箇所の根元から髪先までに対して数回に分けて行い、これにより内容物Ｎの頭髪Ｋに対する塗布を満遍なく達成する。
【００３３】
この一回に吐出した内容物Ｎの塗布動作が完了したならば、新たな内容物Ｎを櫛歯片１０間に吐出させ、新たな頭髪Ｋ箇所に同じ梳き動作を施して、内容物Ｎの塗布を行う。以下、この操作の繰り返しにより頭髪Ｋ全体、もしくは所望する頭髪Ｋ部分に対する内容物Ｎの塗布を達成する。
【００３４】
なお、本発明は上記した実施形態例に限定されるものではなく、例えば櫛歯体９を縦櫛状ではなく横櫛状に構成してもよく、また櫛歯体９をキャップ本体２と一体に成形する構成としてもよく、そして多数の小突起の配置は、ランダムまたは規則的のいずれであっても良く、さらにはデラミボトル構造の容器体１５に組み付けることも可能であり、またさらに内容物は粘稠性を有するものや、泡状となるものとすることも可能である。同様に、容器体１５はスクイズ性を有するものに限ることはなく、エアゾール容器やポンプ機能を組み付けた容器の使用も可能である。
【産業上の利用可能性】
【００３５】
以上説明したように、本発明の櫛付きキャップは，きわめて良好な「櫛通り」の良さを発揮できる状態で、櫛歯片間に吐出させた内容物を、液垂れさせることなく安定して保持できるものであり、白髪染めやヘアマニキュア等の内容物の頭髪への塗布容器に取り付けられる櫛付きキャップとして幅広い利用展開が期待される。
【符号の説明】
【００３６】
１  ；櫛付きキャップ
２  ；キャップ本体
３  ；組み付き筒
４  ；頂壁
５  ；シール筒片
６  ；シール条
７  ；起立筒
８  ；頂板
９  ；櫛歯体
９ａ；ベース板
１０；櫛歯片
１１；粗面化処理面
１２；小突起
１３；吐出路
１４；吐出口
１５；容器体
１６；胴部
１７；口筒部
Ｋ  ；頭髪
Ｎ  ；内容物
【図１】
0005754647.tif 000002
【図２】
0005754647.tif 000003
【図３】
0005754647.tif 000004
【図４】
0005754647.tif 000005